(57)【特許請求の範囲】
【請求項１】
ネックストラップにより人体の首に吊り下げられる無線タグで用いられる無線タグアンテナであって、
前記ネックストラップの左右の紐部にそれぞれ形成された導電線からなり、全体として上方向に開口するＶ字形状をなし、電波の波長より長い２つのエレメントと、前記各エレメントの下端に設けられた給電点とを備え、
前記給電点から前記各エレメントのそれぞれに対して印加された互いに逆位相の送信信号で、これらエレメントに発生した進行波により、前記対象の上方向に主ビームを形成する
ことを特徴とする無線タグアンテナ。
【請求項２】
請求項１に記載の無線タグアンテナであって、
前記ネックストラップの上側紐部に形成されて、前記各エレメントの上端間を接続することによりこれらエレメントで発生する反射波を吸収する終端抵抗をさらに備えることを特徴とする無線タグアンテナ。
【請求項３】
請求項１に記載の無線タグアンテナであって、
前記各エレメントは、これらエレメントで発生する反射波を吸収する抵抗線からなることを特徴とする無線タグアンテナ。
【請求項４】
請求項１に記載の無線タグアンテナであって、
前記各エレメントは、エレメント上端とエレメント下端との中間に折曲部を有し、全体として菱形状をなすことを特徴とする無線タグアンテナ。
【請求項５】
請求項１に記載の無線タグアンテナであって、
前記導電線は、コイル形状または葛折り形状をなすことを特徴とする無線タグアンテナ。
【請求項６】
請求項１に記載の無線タグアンテナであって、
前記給電点を前記無線タグに対して脱着可能に接続するコネクタをさらに備えることを特徴とする無線タグアンテナ。
【請求項７】
請求項６に記載の無線タグアンテナであって、
前記給電点と前記コネクタとの間にバランをさらに備えることを特徴とする無線タグアンテナ。
【請求項８】
ネックストラップにより人体などの対象に吊り下げられる無線タグであって、
請求項１〜請求項５のいずれか１つに記載の無線タグアンテナと、
無線送信時に、前記給電点から前記各エレメントのそれぞれに対して、互いに逆位相の送信信号を印加することにより、これらエレメントで進行波を発生させて、前記対象の上方向に主ビームを形成させる無線部と
を備えることを特徴とする無線タグ。
【発明の詳細な説明】
【技術分野】
【０００１】
本発明は、無線アンテナ技術に関し、特に人体に取り付けられる無線タグで用いる無線アンテナ技術に関する。
【背景技術】
【０００２】
建物内において人体の位置を推定する位置推定システムでは、人体に取り付けられた無線タグからの電波を、建物の天井などの高所に設置された複数の受信端末で受信し、これら受信端末での受信電界強度から、人体の位置を推定する方式が広く用いられている。
このような位置推定システムで用いられる無線タグは、名刺程度の大きさのカード型あるいはこれ以下の大きさからなり、入退室認証カードと同様にしてネックストラップで首から吊り下げたり、名札と同様に胸や腰にクリップやピンで留めたりすることにより、人体に取り付けられる。
【０００３】
一方、人体に取り付けられる携帯無線端末として、携帯無線端末を人体の首に吊り下げるためのネックストラップにアンテナを形成してテレビ放送の電波を受信し、携帯無線端末でテレビ放送を再生する技術が提案されている（例えば、特許文献１など参照）。
【先行技術文献】
【特許文献】
【０００４】
【特許文献１】特開２００４−２７４６９１号公報
【発明の概要】
【発明が解決しようとする課題】
【０００５】
このような従来技術では、ネックストラップを目的の電波の長い波長に共振するよう設計して定在波アンテナを形成しており、この定在波アンテナ自体は、方向によって利得差を生じない特性を持っている。しかしながら、ネックストラップを人体に装着した場合、人体による電波の吸収により、人体の後方には利得損失を生じ、その結果、主に人体の前方に指向性を持つようになる。このため、このようなネックストラップ型のアンテナを、前述した位置推定システムの無線タグで用いた場合、受信端末が建物内に均等に配置されていたとしても、無線タグからの電波を受信できる受信端末に偏りが発生し、位置推定に誤差が生じるという問題点があった。
【０００６】
図１０は、従来のネックストラップ型アンテナの指向性を示す説明図である。この場合、人体４０の首から胸に沿って無線タグ７０がネックストラップ７１で吊り下げられるため、ネックストラップ７１自体が上方に向けて開口したＶ字形状となる。したがって、ネックストラップ７１に形成された定在波アンテナでは、人体４０での電波吸収により、人体４０の後方に利得損失を生じ、主に人体４０の前方に指向性７２が形成される。
【０００７】
これにより、無線タグ７０からの電波は、人体４０の前方方向の天井５１に配置されている受信端末５０で主に受信されて、人体４０周囲に位置する受信端末５０で偏りなく受信することができなくなるため、推定位置Ｐと人体４０の実位置Ｑとに無視できない誤差が生じる。
また、ネックストラップ型アンテナを用いていない一般的な無線タグでも、アンテナの変換効率を考慮して定在波アンテナを用いている。このため、図１０と同様に、無線タグからの電波は、主に人体の前方に送信されることになり、前述したネックストラップ型のアンテナと同様の問題点を内在している。
【０００８】
本発明はこのような課題を解決するためのものであり、ネックストラップで無線タグを吊して用いる場合でも、位置推定の誤差を低減できる無線アンテナ技術を提供することを目的としている。
【課題を解決するための手段】
【０００９】
このような目的を達成するために、本発明にかかる無線タグアンテナは、ネックストラップにより人体の首に吊り下げられる無線タグで用いられる無線タグアンテナであって、ネックストラップの左右の紐部にそれぞれ形成された導電線からなり、全体として上方向に開口するＶ字形状をなし、電波の波長より長い２つのエレメントと、各エレメントの下端に設けられた給電点とを備え、給電点から各エレメントのそれぞれに対して印加された互いに逆位相の送信信号で、これらエレメントに発生した進行波により、対象の上方向に主ビームを形成する。
【００１０】
この際、ネックストラップの上側紐部に形成されて、各エレメントの上端間を接続することによりこれらエレメントで発生する反射波を吸収する終端抵抗をさらに備えてもよい。
また、各エレメントを、これらエレメントで発生する反射波を吸収する抵抗線から構成してもよい。
また、各エレメントについては、エレメント上端とエレメント下端との中間に折曲部を有し、全体として菱形状をなすようにしてもよい。
また、導電線として、コイル形状または葛折り形状をなすものを用いてもよい。
また、給電点を無線タグに対して脱着可能に接続するコネクタをさらに設けてもよく、給電点とコネクタとの間にバランをさらに設けてもよい。
【００１１】
また、本発明にかかる無線タグは、ネックストラップにより人体の首に吊り下げられる無線タグであって、前述したいずれか１の無線タグアンテナと、無線送信時に、給電点から各エレメントのそれぞれに対して、互いに逆位相の送信信号を印加することにより、これらエレメントで進行波を発生させて、対象の上方向に主ビームを形成させる無線部とを備えている。
【発明の効果】
【００１２】
本発明によれば、無線タグアンテナにより、無線タグの主ビームが人体の上方位置に形成されるため、水平方向において、主ビームの位置を人体と一致させることができる。したがって、人体４０の前方位置を人体の位置として推定する傾向がある位置推定システムであっても、推定位置と人体の実位置との誤差を低減することができ、位置推定システムにおける位置推定精度を向上させることが可能となる。
【００１３】
また、進行波アンテナは、定在波アンテナのように共振型のアンテナではなく、非共振型のアンテナである。このため、定在波アンテナに比べて広い周波数特性を有しており、異なる複数の周波数で共通して用いたり、数ＧＨｚの帯域を利用した超広帯域無線システム（ＵＷＢ：Ultra Wide Band）でも利用できる。
また、アンテナのインピーダンスはエレメントの長さの影響を受けにくいため、無線タグを人体に吊り下げた場合でも、アンテナ特性に人体の形状などの個人差が現れないだけでなく、ネックストラップの長さを調整しても影響を受けにくい。このため、良好で安定したアンテナ特性を得ることができる。
【図面の簡単な説明】
【００１４】
【図１】第１の実施の形態にかかる無線タグアンテナを示す構成図である。
【図２】第１の実施の形態にかかる無線タグアンテナの等価回路図である。
【図３】第１の実施の形態にかかる無線タグアンテナの指向性を示す説明図である。
【図４】第２の実施の形態にかかる無線タグアンテナを示す構成図である。
【図５】第３の実施の形態にかかる無線タグアンテナを示す構成図である。
【図６】第３の実施の形態にかかる無線タグアンテナの指向性を示す説明図である。
【図７】第４の実施の形態にかかる無線タグアンテナを示す構成図である。
【図８】第４の実施の形態にかかる他の無線タグアンテナを示す構成図である。
【図９】第５の実施の形態にかかる無線タグアンテナを示す構成図である。
【図１０】従来のネックストラップ型アンテナの指向性を示す説明図である。
【発明を実施するための形態】
【００１５】
次に、本発明の実施の形態について図面を参照して説明する。
［第１の実施の形態］
まず、図１〜図３を参照して、本発明の第１の実施の形態にかかる無線タグアンテナについて説明する。図１は、第１の実施の形態にかかる無線タグアンテナを示す構成図である。図２は、第１の実施の形態にかかる無線タグアンテナの等価回路図である。図３は、第１の実施の形態にかかる無線タグアンテナの指向性を示す説明図である。
【００１６】
無線タグアンテナ１０は、ネックストラップにより人体などの対象に吊り下げられる無線タグ３０で用いられる無線タグアンテナである。
この無線タグアンテナ１０は、例えば、建物内で人体４０の位置を推定する位置推定システムで用いられる無線タグ３０に接続されて、無線タグアンテナ１０から送信された電波が、建物の天井５１などの上部に設置された複数の受信端末５０で受信され、これら受信端末５０で得られた受信電界強度から、人体４０の位置が推定される。
【００１７】
本実施の形態にかかる無線タグアンテナ１０は、ネックストラップ３１の左右の紐部３２にそれぞれ形成された導電線からなり、全体として上方向に開口するＶ字形状をなす２つのエレメント１１と、これらエレメント１１の下端１３にそれぞれ設けられた給電点１５とを備え、無線タグ３０から給電点１５を介して各エレメント１１のそれぞれに対して印加された互いに逆位相の送信信号で、これらエレメント１１に発生した進行波により、対象の上方向に主ビームを形成するようにしたものである。
【００１８】
［発明の原理］
一般に、無線アンテナは、電磁波の進行方向の違いにより、定在波アンテナと進行波アンテナに大別される。アンテナを構成する１つの直線上エレメントの一端に設けられた給電点からエレメントに対して交流信号を印加すると、エレメントの他端に向けて、進行波と呼ばれる交流電流が流れる。この際、エレメントの他端で進行波が終端されない場合、交流電流が他端で反射して給電点に向けて反射波と呼ばれる交流電流が発生する。したがって、エレメント上では、これら進行波と反射波とが合成されて定在波が発生し、エレメントの長さ方向に対して垂直な方向へ電磁波が放射される。これが定在波アンテナである。
【００１９】
一方、エレメントの他端で反射波が発生しない場合、エレメント上には進行波のみが発生することになる。この場合、エレメントの長さ方向から僅かな角度を持って、一端から他端へ向く方向、すなわち進行波の流れる方向へ、エレメントの各点から電磁波が放射される。これが進行波アンテナである。この際、エレメントでは、エレメントを中心軸として進行波の流れる方向へ開口する三角錐形状をなす主ビームが形成される。
【００２０】
建物内において人体の位置を推定する位置推定システムでは、人体４０に取り付けられた無線タグ３０からの電波を、天井などの上部に設置された複数の受信端末５０で受信し、これら受信端末５０で得られた受信電界強度から、人体４０の位置を推定する方式が広く用いられている。このため、人体４０の前方位置を人体４０の位置として推定する傾向がある。
【００２１】
一方、前述した図１０のように、無線タグ３０をネックストラップ７１で首から吊り下げた場合、ネックストラップ７１から首から胸に腹まで、上下方向に配置される。この際、従来のネックストラップ型アンテナは、定在波アンテナとして機能するため、無線タグ３０から送信する電波の主ビーム７２が、人体４０の前方に形成される。
人体４０の前方にある受信端末５０は無線タグ３０からの電波を直接受信することができるが、人体４０の後方にある受信端末５０は電波が人体４０によって遮られるため、無線タグ３０からの電波の受信強度が低下する。その結果、位置推定システムは、人体４０の前方位置を人体の位置として推定してしまう。推定位置Ｐと人体４０の実位置Ｑとの差は、実測値で３ｍから５ｍと無視できない誤差が生じることが確認されている。
【００２２】
本発明は、図３に示すように、無線タグ３０の主ビーム１６の位置を、人体４０の上方に形成することにより、水平方向において主ビーム１６の位置を人体４０と一致させるようにしたものである。
また、この具体的構成として、人体４０に吊り下げられる無線タグ３０のネックストラップで、全体として上方向に開口するＶ字形状をなし、電波の波長より長い２つのエレメントにより、進行波アンテナとして機能する無線タグアンテナ１０を形成することにより、無線タグ３０の主ビーム１６を、人体４０の上方位置に形成するようにしたものである。
【００２３】
［無線タグアンテナ］
次に、図１〜図３を参照して、本実施の形態にかかる無線タグアンテナの構成について詳細に説明する。
【００２４】
ネックストラップ３１は、例えば布製部材あるいはビニル製部材などのベルト状あるいはロープ状の紐からなり、左右の紐部３２には、導電線からなる、電波の波長より長い長さを有するエレメント１１がそれぞれ形成されている。エレメント１１については、可撓性を有するコードなどの導電線を用いてもよく、直線的な棒状の導電線を用いてもよい。また、これら導電線は、紐部３２の内側に導電線を形成してもよく、紐部３２の表面に導電線を形成してもよい。また、紐部３２自体を導電線で形成してもよい。
【００２５】
ネックストラップ３１のうち左右の紐部３２の上端を連結する上端紐部３３には、各エレメント１１の上端１２間を接続することによりこれらエレメント１１で発生する反射波を吸収する終端抵抗１４が形成されている。終端抵抗１４については、抵抗成分を有する導電線を用いてもよく、あるいは１つまたは複数の抵抗素子が導電線で接続された抵抗回路を用いてもよい。終端抵抗１４の抵抗値は、無線タグアンテナ１０の特性インピーダンスとマッチングする値を用いればよい。
【００２６】
また、各エレメント１１の下端１３には、無線タグ３０の無線部３０Ｓから出力された送信信号がそれぞれ印加される給電点１５が設けられている。この送信信号は、これらエレメント１１に対して、互いに逆位相で印加される。
したがって、図２に示すように、それぞれのエレメント１１において、エレメント１１を中心軸として下端１３から上端１２方向、すなわち進行波が流れる方向に開口する三角錐形状の個別指向性２１が得られる。
【００２７】
また、ネックストラップ３１を人体の吊り下げた場合、首の後側湾曲部に沿って上端紐部３３が半円状に拡がるため、これに伴ってエレメント１１の上端１２間も拡がる。このため、エレメント１１は、全体として上方向に開口する、正面視Ｖ字形状を生成するものとなる。
したがって、各エレメント１１の個別指向性２１が合成されて、図３に示すように、無線タグアンテナ１０全体として、給電点１５から人体上方に向かう合成指向性２２が得られる。
【００２８】
［第１の実施の形態の効果］
このように、本実施の形態にかかる無線タグアンテナ１０は、ネックストラップ３１の左右の紐部３２にそれぞれ形成された導電線からなり、全体として上方向に開口するＶ字形状をなし、電波の波長より長い２つのエレメント１１と、これらエレメント１１の下端１３にそれぞれ設けられた給電点１５とを備え、無線タグ３０から給電点１５を介して各エレメント１１のそれぞれに対して印加された互いに逆位相の送信信号で、これらエレメント１１に発生した進行波により、対象の上方向に主ビームを形成するものである。
【００２９】
これにより、無線タグアンテナ１０により、無線タグ３０の主ビーム１６が人体４０の上方位置に形成されるため、水平方向において、主ビーム１６の位置を人体４０と一致させることができる。したがって、人体４０の前方位置を人体の位置として推定する傾向がある位置推定システムであっても、推定位置Ｐと人体４０の実位置Ｑとの誤差を低減することができ、位置推定システムにおける位置推定精度を向上させることが可能となる。
【００３０】
また、定在波アンテナは、エレメントの長さにより共振する波長が決定されるため、極めて狭い周波数範囲でしか使用できない。一方、進行波アンテナは、定在波はアンテナのように共振型のアンテナではなく、非共振型のアンテナであり、使用可能な電波は、エレメント長より短い波長の電波という条件となる。このため、定在波アンテナに比べて広い周波数特性を有しており、異なる複数の周波数で共通して用いたり、数ＧＨｚの帯域を利用した超広帯域無線システム（ＵＷＢ：Ultra Wide Band）でも利用できる。
【００３１】
特に、無線タグで広く用いられている２．４ＧＨｚ帯以上の周波数においては、１波長が１２ｃｍ以下となるが、通常、ネックストラップの長さは１周で９０ｃｍ程度ある。このため、ネックストラップ３１の左右の紐部３２に１２ｃｍより長いエレメント１１を容易に形成でき、上記の条件を十分満足している。したがって、本実施の形態にかかる無線タグアンテナ１０によれば、無線タグ３０において極めて良好なアンテナ特性が得られることがわかる。
【００３２】
また、アンテナ利得はエレメントの長さにあまり影響されないため、無線タグ３０を人体に吊り下げた場合でも、アンテナ特性に人体の形状などの個人差が現れないだけでなく、ネックストラップの長さを調整しても影響されない。このため、良好で安定したアンテナ特性を得ることができる。
【００３３】
また、本実施の形態では、ネックストラップ３１の上端紐部３３に終端抵抗１４を形成して、各エレメント１１の上端１２間を接続することによりこれらエレメント１１で発生する反射波を吸収するようにしたので、エレメント１１上において反射波による進行波の減衰を抑制することができ、高いアンテナ利得を得ることができる。
【００３４】
［第２の実施の形態］
次に、図４を参照して、本発明の第２の実施の形態にかかる無線タグアンテナについて説明する。図４は、第２の実施の形態にかかる無線タグアンテナを示す構成図である。
第１の実施の形態では、２つのエレメント１１の上端１２を終端抵抗１４で接続する場合を例として説明した。本実施の形態では、各エレメント１１を、これらエレメントで発生する反射波を吸収する抵抗線で構成する場合について説明する。
【００３５】
本実施の形態にかかる無線タグアンテナ１０において、エレメント１１は抵抗線から構成されている。この抵抗線については、直径の細い導電線や不純物が含まれる導電線を用いればよい。この際、複数の抵抗素子を導電線で接続したものであってもよく、あるいはエレメント１１の上端１２に抵抗素子の一端を接続し、抵抗素子の他端を開放したものであってもよい。
【００３６】
このような抵抗線をエレメント１１として用いた場合、下端１３の給電点１５から印加された送信信号は、進行波となって上端１２の方向へ進むに連れて徐々に減衰する。したがって、エレメント１１全体の抵抗値を調整することにより、上端１２で進行波の振幅をほぼゼロとすることができ、結果として上端１２における反射波の発生を抑止することができ、２つのエレメント１１の上端１２を終端抵抗１４で接続した場合と同様の効果を得ることができる。
【００３７】
［第２の実施の形態の効果］
このように、本実施の形態は、エレメント１１を、これらエレメントで発生する反射波を吸収する抵抗線で構成するようにしたので、上端１２における反射波の発生が抑止されて、エレメント１１上において反射波と進行波との干渉を抑制することができる。また、終端抵抗１４を省くことができ、コストダウンを実現できる。
【００３８】
［第３の実施の形態］
次に、図５を参照して、本発明の第３の実施の形態にかかる無線タグアンテナについて説明する。図５は、第３の実施の形態にかかる無線タグアンテナを示す構成図である。
第１の実施の形態では、Ｖ字形状に配置された２つのエレメント１１を用いる場合を例として説明した。本実施の形態では、エレメント１１の中間に折曲部を有し、全体として菱形状をなす場合について説明する。
【００３９】
本実施の形態にかかる無線タグアンテナ１０は、エレメント１１の上端１２と下端１３との中間に折曲部１６を有し、全体として菱形状をなす、いわゆるロンビックアンテナを形成している。
それぞれのエレメント１１は、下端１３から折曲部１６までの下側エレメント１１Ａと、折曲部１６から上端１２までの上側エレメント１１Ｂとから構成されている。このうち、下側エレメント１１Ａは、ネックストラップ３１のうち左右の紐部３２の下側紐部３２Ａに形成されており、上側エレメント１１Ｂは、紐部３２の上側紐部３２Ｂに形成されている。
【００４０】
下側エレメント１１Ａおよび上側エレメント１１Ｂは、直線的な棒状の導電線から構成されており、それぞれの折曲部１６において、下側エレメント１１Ａおよび上側１１エレメントＢがなす角度が固定されている。
これにより、ネックストラップ３１を人体４０の吊り下げた場合、下側エレメント１１Ａは、全体として上方向に開口するＶ字形状をなし、上側エレメント１１Ｂは、全体として下方向に開口する八の字形状をなすものとなる。
【００４１】
したがって、前述と同様に、下側エレメント１１Ａおよび上側エレメント１１Ｂでは、これら下側エレメント１１Ａおよび上側エレメント１１Ｂを中心軸として、進行波が流れる方向に開口する三角錐形状の下側個別指向性２１Ａおよび上側個別指向性２１Ｂが得られる。これにより、ネックストラップ３１が人体４０の首に吊り下げられた場合、下側個別指向性２１Ａだけでなく、上側個別指向性２１Ｂも合成される。このため、無線タグアンテナ１０全体として、給電点１５から人体上方に向かう合成指向性２２として、人体上方に強いアンテナ利得を有する指向性が得られる。
【００４２】
図６は、第３の実施の形態にかかる無線タグアンテナの水平面内指向性を示す説明図である。ここでは、送信信号の波長λに対して下側エレメント１１Ａおよび上側エレメント１１Ｂの長さａ＝６λで、下側エレメント１１Ａと上側エレメント１１Ｂがなす角度θ＝７０゜×２の場合における、無線タグアンテナ１０の指向性が示されている。上方向に向かって、極めて強い指向性を有していることがわかる。なお、波長λにかかる倍率「６」は、値が大きくなるほど、ビームが鋭くなり利得が上昇するという特性を持っている。
【００４３】
［第３の実施の形態の効果］
このように、本実施の形態は、エレメント１１の中間に折曲部１６を有し、全体として菱形状をなすようにしたので、上方向に開口するＶ字形状をなす下側エレメント１１Ａの下側個別指向性２１Ａだけでなく、下方向に開口する八の字形状をなす上側エレメント１１Ｂの上側個別指向性２１Ｂも合成される。このため、無線タグアンテナ１０全体として、給電点１５から人体上方に向かう合成指向性２２として、人体上方に強いアンテナ利得を有する指向性が得られる。
【００４４】
［第４の実施の形態］
次に、図７および図８を参照して、本発明の第４の実施の形態にかかる無線タグアンテナについて説明する。図７は、第４の実施の形態にかかる無線タグアンテナを示す構成図である。図８は、第４の実施の形態にかかる他の無線タグアンテナを示す構成図である。
図７に示す無線タグアンテナ１０は、エレメント１１として、導電線が螺旋状に巻かれたコイルが用いられている。また、図８に示す無線タグアンテナ１０は、エレメント１１として、葛折りに畳まれた導電線が用いられている。
【００４５】
通常、ネックストラップは、人体の首から腹までの長さに調整されている。このため、エレメント１１の長さも、最長で人体の首から腹までの長さとなる。本実施の形態では、エレメント１１として、導電線が螺旋状に巻かれたコイルを用いているため、あるいは葛折りに畳まれた導電線が用いているため、ネックストラップ３１の紐部３２の実際の長さより、エレメント１１の電気的長さを延長することができる。これにより、エレメント１１の実効波長が延長されるため、電波の周波数が比較的低く、その波長が紐部３２より長い場合でも、良好なアンテナ特性を提供することができる。
【００４６】
［第５の実施の形態］
次に、図９を参照して、本発明の第５の実施の形態にかかる無線タグアンテナについて説明する。図９は、第５の実施の形態にかかる無線タグアンテナを示す構成図である。
本実施の形態の無線タグアンテナ１０は、給電点１５と無線タグ３０との間にコネクタ１７が設けられている。コネクタ１７として汎用の同軸コネクタを用いることにより、無線タグアンテナ１０を、各種ウェアラブル機器のアンテナとして使用することができる。
【００４７】
この際、不平衡の同軸コネクタ１７と平衡の無線タグアンテナ１０との整合を取るため、本実施の形態では、給電点１５とコネクタ１７との間に、平衡／不平衡変換用のバラン１８が設けられている。これにより、多くのウェアラブル機器で使用することが可能となる。
【００４８】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００４９】
１０…無線タグアンテナ、１１…エレメント、１１Ａ…下側エレメント、１１Ｂ…上側エレメント、１２…上端、１３…下端、１４…終端抵抗、１５…給電点、１６…折曲部、１７…コネクタ、１８…バラン、２１…個別指向性、２１Ａ…下側指向性、２１Ｂ…上側指向性、２２…合成指向性、３０…無線タグ、３１…ネックストラップ、３２…紐部、３２Ａ…下側紐部、３２Ｂ…上側紐部、３３…上端紐部、４０…人体、５０…受信端末、５１…天井。
【図１】
0005479990.tif 000002
【図２】
0005479990.tif 000003
【図３】
0005479990.tif 000004
【図４】
0005479990.tif 000005
【図５】
0005479990.tif 000006
【図６】
0005479990.tif 000007
【図７】
0005479990.tif 000008
【図８】
0005479990.tif 000009
【図９】
0005479990.tif 000010
【図１０】
0005479990.tif 000011